(57)【要約】【課題】無線基地局装置の無線リソースを十分に活用する。【解決手段】複数の端末装置からの通信呼それぞれに、いずれかの時間区分と時間区分毎に選択されるいずれかのキャリアにより特定される１のチャネルを割り当てて、各端末装置と時分割多重方式で通信を行う無線基地局装置１２において、少なくとも１の通信呼に割り当てられた時間区分における通信を制限して、該時間区分における１又は複数のキャリアの受信状態を測定する受信状態測定部３２と、受信状態測定部３２による測定結果を記憶する測定結果記憶部３４と、測定結果記憶部３４に記憶される測定結果に応じて、各通信呼にチャネルを割り当てるチャネル割当部３６と、を含む。【選択図】図２
2007150801.tif 000002
【特許請求の範囲】
【請求項１】
複数の端末装置からの通信呼それぞれに、いずれかの時間区分と前記時間区分毎に選択されるいずれかのキャリアにより特定される１のチャネルを割り当てて、前記各端末装置と時分割多重方式で通信を行う無線基地局装置であって、
少なくとも１の前記通信呼に割り当てられた時間区分における通信を制限して、該時間区分における１又は複数の前記キャリアの受信状態を測定する受信状態測定手段と、
前記受信状態測定手段による測定結果を記憶する測定結果記憶手段と、
前記測定結果記憶手段に記憶される前記測定結果に応じて、前記各通信呼に前記チャネルを割り当てるチャネル割当手段と、
を含むことを特徴とする無線基地局装置。
【請求項２】
請求項１に記載の無線基地局装置において、
前記受信状態測定手段は、音声呼に割り当てられた時間区分における前記１又は複数のキャリアの受信状態を測定する、
ことを特徴とする無線基地局装置。
【請求項３】
請求項１又は２に記載の無線基地局装置において、
前記測定結果は、前記１又は複数のキャリアの受信レベルの大きさに基づいた情報である、
ことを特徴とする無線基地局装置。
【請求項４】
請求項１乃至３のいずれかに記載の無線基地局装置において、
前記チャネル割当手段は、前記測定結果記憶手段に記憶される測定結果に応じて、接続を要求する前記通信呼に、該接続要求の時点で割り当てられていない前記いずれかの時間区分における前記いずれかのキャリアにより特定されるチャネルを割り当てる、
ことを特徴とする無線基地局装置。
【請求項５】
請求項１乃至３のいずれかに記載の無線基地局装置において、
前記チャネル割当手段は、前記通信呼の通信が終了した場合に、前記測定結果記憶手段に記憶される測定結果に応じて、前記接続を要求する通信呼に、前記通信が終了した通信呼が使用していたのと同じ時間区分における他の１又は複数のいずれかのキャリアにより特定されるチャネルを割り当てる、
ことを特徴とする無線基地局装置。
【請求項６】
請求項１乃至３のいずれかに記載の無線基地局装置において、
前記チャネル割当手段は、
前記測定結果記憶手段に記憶される１の前記通信呼に割り当てられたキャリアの測定結果と、該通信呼に割り当てられた時間区分における他の１又は複数のキャリアの測定結果と、を比較する測定結果比較手段をさらに含み、
前記測定結果比較手段による比較結果に応じて、前記１の通信呼に、該通信呼に割り当てられた時間区分における前記他の１又は複数のいずれかのキャリアにより特定されるチャネルを割り当てる、
ことを特徴とする無線基地局装置。
【請求項７】
複数の端末装置からの通信呼それぞれに、いずれかの時間区分と前記時間区分毎に選択されるいずれかのキャリアにより特定される１のチャネルを割り当てて、前記各端末装置と時分割多重方式で通信を行う無線基地局装置の制御方法であって、
少なくとも１の前記通信呼に割り当てられた時間区分における通信を制限して、該時間区分における１又は複数の前記キャリアの受信状態を測定する受信状態測定ステップと、
前記受信状態測定ステップによる測定結果を測定結果記憶手段に記憶するステップと、
前記測定結果記憶手段に記憶される前記測定結果に応じて、前記各通信呼に前記チャネルを割り当てるチャネル割当ステップと、
を含むことを特徴とする無線基地局装置の制御方法。
【発明の詳細な説明】
【技術分野】
【０００１】
本発明は、無線基地局装置及び無線基地局装置の制御方法に関し、特に、複数の端末装置からの通信呼（通信装置間における接続要求から接続切断までの一連の通信）それぞれに、いずれかの時間区分と前記時間区分毎に選択されるいずれかのキャリアにより特定される１のチャネルを割り当てて、前記各端末装置と時分割多重方式で通信を行う無線基地局装置及び無線基地局装置の制御方法に関する。
【背景技術】
【０００２】
時分割多重方式による無線通信システムでは、通信装置間の無線伝送路を複数の時間区分（以下、タイムスロットという）に分割し、各タイムスロットに単位伝送データを格納して多重通信が行われる。多重される各通信には、未使用のタイムスロット（以下、空きスロットという）のいずれかにおけるいずれかのキャリア（通信を行う周波数）がチャネルとして割り当てられ、通信が終了すると使用されていたタイムスロットは解放される。また、空きスロットでは、所定の品質で通信可能な受信状態を持つキャリアが存在するか否かを予め把握しておくために、１以上の各キャリアについて受信状態を測定するキャリアセンスが定期的に行われることがある。
【０００３】
例えば 、ＰＨＳ（Personal Handy-phone System）システムでは、基地局装置と端末装置との間の無線伝送路は、図７に示すように、送受信ともにそれぞれ複数のタイムスロットに分割されている。同図では、１つのフレームが１つの制御チャネル（ＣＣＨ）と３つの伝送チャネル（ＴＣＨ）から構成される例が示されている。また、従来のＰＨＳ基地局装置におけるタイムスロットの割当例を図８に示す。同図には、スロット２，４が２台の端末装置からの通信呼にそれぞれ割り当てられ、スロット１，３が未使用であるときの状態が示されている。空きスロット１，３では、通信呼に割り当てられるまでの間、定期的にキャリアセンスが行われる。キャリアセンスによる測定結果に基づいて受信状態の良いキャリアを通信呼に割り当てるためである。なお、制御チャネルに指定された空きスロット（図８のスロット１）では、２０フレームに１度の頻度で該タイムスロットが制御用に使用されるため、このタイミングではキャリアセンスを行うことはできない。一方、通信中のタイムスロットは専らデータの送受信に使用されるため、通信中のタイムスロットではキャリアセンスは行われない。
【０００４】
なお、下記特許文献１には、時分割多重アクセス方式により無線移動局を収容する無線基地局において、空きスロットにおいてキャリアセンスを行い、干渉が検出されなかった場合に限り、当該空きスロットにて制御チャネルを送受する技術が開示されている。
【特許文献１】特開２００５−２０４００号公報
【発明の開示】
【発明が解決しようとする課題】
【０００５】
しかしながら、従来の無線通信システムでは、通信に使用中のタイムスロットについてはキャリアセンスによる測定結果がないため、通信終了後キャリアセンスが完了するまでの間、該タイムスロットを新たな通信に割り当てることができなかった。
【０００６】
図９に、従来のＰＨＳ基地局装置におけるタイムスロット解放直後の割当例を示す。同図には、通信呼Ｂによる通信が終了した直後に通信呼Ｄによる接続要求があった場合が示されている。通信呼Ｂによる通信が終了すると、スロット２は空きスロットとなる。このとき、空きスロット２以外のタイムスロットはすべて使用中である（制御用に割り当てられたスロット１における未使用部分は、他の無線基地局装置により使用される）ため、空きスロット２が新たに発生した通信呼Ｄに割り当てられるべきである。ところが、直前まで別の通信呼Ｂに占有されていたスロット２にはキャリアセンスによる測定結果がないため、新たな通信呼Ｄに割当可能なキャリアを選択することができない。このため、新たな通信呼Ｄに空きスロット２を割り当てることができず、通信呼Ｄの接続要求は空きスロットが存在するにもかかわらず一度拒否されることとなっていた。
【０００７】
また、従来の無線通信システムでは、通信に使用中のタイムスロットについてはキャリアセンスによる測定結果がないため、同一タイムスロット内においてチャネル切替を行うことができなかった。すなわち、干渉等により通信中のチャネルの受信状態が悪化し所定の通信品質を維持することができなくなった場合に、同一タイムスロット内に電波状態の良い他のキャリアが存在していたとしても、それを検知する手段がないため、該キャリアにチャネル切替を行うことができなかった。この場合、他に空きスロットがあれば、その空きスロットの中で電波状態の良好なキャリアにチャネル切替を行うこともできるが、空きスロットがなければ、接続先を他の無線基地局装置に切り替えたり（ハンドオーバしたり）、他のタイムスロットにおけるパケットデータ通信等を強制的に切断することにより空きチャネルを確保したりする必要があった。
【０００８】
以上のように、従来の無線通信システムでは、利用可能なチャネルがあるにもかかわらずそれを十分に活用することができないという問題があった。
【０００９】
本発明は、上記従来の課題に鑑みてなされたものであり、無線リソースを十分に活用することができる無線基地局装置及び無線基地局装置の制御方法を提供することを目的とする。
【課題を解決するための手段】
【００１０】
上記目的を達成するために、本発明に係る無線基地局装置は、複数の端末装置からの通信呼それぞれに、いずれかの時間区分と前記時間区分毎に選択されるいずれかのキャリアにより特定される１のチャネルを割り当てて、前記各端末装置と時分割多重方式で通信を行う無線基地局装置であって、少なくとも１の前記通信呼に割り当てられた時間区分における通信を制限して、該時間区分における１又は複数の前記キャリアの受信状態を測定する受信状態測定手段と、前記受信状態測定手段による測定結果を記憶する測定結果記憶手段と、前記測定結果記憶手段に記憶される前記測定結果に応じて、前記各通信呼に前記チャネルを割り当てるチャネル割当手段と、を含むことを特徴とする。
【００１１】
また、本発明に係る無線基地局装置の制御方法は、複数の端末装置からの通信呼それぞれに、いずれかの時間区分と前記時間区分毎に選択されるいずれかのキャリアにより特定される１のチャネルを割り当てて、前記各端末装置と時分割多重方式で通信を行う無線基地局装置の制御方法であって、少なくとも１の前記通信呼に割り当てられた時間区分における通信を制限して、該時間区分における１又は複数の前記キャリアの受信状態を測定する受信状態測定ステップと、前記受信状態測定ステップによる測定結果を測定結果記憶手段に記憶するステップと、前記測定結果記憶手段に記憶される前記測定結果に応じて、前記各通信呼に前記チャネルを割り当てるチャネル割当ステップと、を含むことを特徴とする。
【００１２】
本発明によれば、無線基地局装置において、複数の端末装置からの通信呼それぞれに、いずれかの時間区分におけるいずれかのキャリアにより特定される１のチャネルを割り当てて、各端末装置と時分割多重方式で通信を行うときに、少なくとも１の通信呼に割り当てられた時間区分における通信を制限して、該時間区分における１又は複数のキャリアの受信状態を測定し記憶する。そして、記憶した測定結果に応じて、各通信呼にチャネルを割り当てる。こうすれば、空きスロットだけでなく、通信中のタイムスロットにおいても１又は複数のキャリアの受信状態に基づいて通信呼に対してチャネルを割り当てることが可能となり、無線リソースを十分に活用することができるようになる。
【００１３】
また、本発明の一態様では、前記受信状態測定手段は、音声呼に割り当てられた時間区分における前記１又は複数のキャリアの受信状態を測定する。こうすれば、キャリアセンス実行時に通信を一時的に制限することによるスループットの低下を音声呼（音声通信に係る通信呼）に限定することができるようになり、音声呼に割り当てられたタイムスロットにおける１又は複数のキャリアの受信状態に基づいて通信呼へのチャネル割当を行うことができるようになる。
【００１４】
また、本発明の一態様では、前記測定結果は、前記１又は複数のキャリアの受信レベルの大きさに基づいた情報である。こうすれば、通信中のタイムスロットおける１又は複数のキャリアの受信レベルの大きさに基づいて通信呼へのチャネル割当を行うことができるようになる。
【００１５】
また、本発明の一態様では、前記チャネル割当手段は、前記測定結果記憶手段に記憶される測定結果に応じて、接続を要求する前記通信呼に、該接続要求の時点で割り当てられていない前記いずれかの時間区分における前記いずれかのキャリアにより特定されるチャネルを割り当てる。また、前記チャネル割当手段は、前記通信呼の通信が終了した場合に、前記測定結果記憶手段に記憶される測定結果に応じて、前記接続を要求する通信呼に、前記通信が終了した通信呼が使用していたのと同じ時間区分における他の１又は複数のいずれかのキャリアにより特定されるチャネルを割り当ててもよい。こうすれば、通信終了直後のタイムスロットを、該タイムスロットにおける１又は複数のキャリアの受信状態に基づいて、接続要求する通信呼に対して割り当てることが可能となり、タイムスロットの利用効率を改善することができるようになる。
【００１６】
また、本発明の一態様では、前記チャネル割当手段は、前記測定結果記憶手段に記憶される１の前記通信呼に割り当てられたキャリアの測定結果と、該通信呼に割り当てられた時間区分における他の１又は複数のキャリアの測定結果と、を比較する測定結果比較手段をさらに含み、前記測定結果比較手段による比較結果に応じて、前記１の通信呼に、該通信呼に割り当てられた時間区分における前記他の１又は複数のいずれかのキャリアにより特定されるチャネルを割り当てる。こうすれば、通信中のタイムスロットにおける１又は複数のキャリアの受信状態に基づいて、同一タイムスロット内でチャネル切替を行うことが可能となり、無線基地局装置と端末装置との間の通信品質を改善することができるようになる。
【発明を実施するための最良の形態】
【００１７】
以下、本発明の実施の形態を図面に基づいて説明する。本発明の実施の形態に係る移動体通信システム１０は、図１に示すように、通信ネットワーク１６に有線伝送路で接続される無線基地局装置１２と、当該無線基地局装置１２と無線伝送路で接続される端末装置１４を複数含んで構成される。
【００１８】
無線基地局装置１２は、図２に示すように、制御部２０、記憶部２２、無線通信部２４、有線通信部２６を含んで構成される。制御部２０は、無線基地局装置１２の各部を制御し、通話やデータ通信に関わる処理を実行する。無線通信部２４は、アンテナを備え、端末装置１４からの音声信号や通信用パケット等を受信して復調し、制御部２０に出力したり、制御部２０の指示に従って、制御部２０から入力される音声信号や通信用パケット等を変調し、アンテナを介して出力したりする。記憶部２２は、制御部２０のワークメモリとして動作する。また、記憶部２２は、制御部２０による各種処理に関わるプログラムやパラメータ及びテーブル等を記憶する。有線通信部２６は、通信ネットワーク１６と接続されており、通信ネットワーク１６からの音声信号や通信用パケット等を受信して制御部２０に出力したり、制御部２０の指示に従って、音声信号や通信用パケット等を通信ネットワーク１６に対して送信したりする。
【００１９】
端末装置１４は、いずれかの無線基地局装置１２との間で、時分割多重方式による通信を行う。すなわち、端末装置１４と無線基地局装置１２との間の伝送チャネルはいくつかのタイムスロットに時分割され、各タイムスロットにデータを格納して多重通信が行われる。
【００２０】
本発明の実施の形態では、通信中のタイムスロットにおける通信を一時的に制限してキャリアセンスを行い、取得された当該タイムスロットにおける測定結果を記憶しておくことにより、利用可能なチャネルがあるにもかかわらずそれを十分に活用することができないという従来技術の問題点を解決している。図４に、通信中のタイムスロットにおいてキャリアセンスを実施する様子を示す。図４に示す通り、本実施の形態では、従来、通信に使用していた各スロットのうち１スロットを数フレームに一度キャリアセンス実行のために使用する。これにより、通信終了直後の空きスロットを、当該スロットにおけるキャリアセンスによる測定結果に応じて、新たな通信呼に割り当てることができるようになる。また、干渉等により通信中のチャネルの受信状態が悪化し所定の通信品質を維持することができなくなった場合にも、キャリアセンスによる測定結果に応じて、同一のタイムスロットにおいて受信状態の良い他のキャリアを通信チャネルとして割り当てることができるようになる。
【００２１】
以下、図２に基づいて、本実施の形態に係る無線基地局装置１２の各構成要素の機能を具体的に説明する。
【００２２】
無線通信部２４は、通信部３０及び受信状態測定部３２を含んで構成される。通信部３０は、制御部２０からの指示に従って、端末装置１４とアンテナを介してデータの送受信を行う。
【００２３】
受信状態測定部３２は、キャリアセンスを実行する部分であり、通信部３０を介して取得される受信信号の受信レベルに基づいて、通信中のタイムスロットにおける通信を制限して、該タイムスロットにおける１又は複数のキャリアの受信状態を測定する。受信状態は、各キャリアの受信レベルの大きさに基づく評価値、例えば、受信信号における所望波（以下、Ｄ波という）レベルの大きさ、妨害波（以下、Ｕ波という）レベルの大きさ、あるいはＤ波レベルとＵ波レベルの大きさの違い等により評価される。なお、キャリアセンスを行う間はそのタイムスロットにおいて通信が制限されるため、キャリアセンスにはスループットの低下が伴う。そのため、受信状態測定部３２は、音声呼が割り当てられたタイムスロットについてのみキャリアセンスを行うこととしてもよい。音声通信の場合、スループットの低下による通話品質への影響が比較的少ないからである。
【００２４】
記憶部２２は、測定結果記憶部３４を含んで構成される。測定結果記憶部３４は、受信状態測定部３２による測定結果を記憶する。測定結果とは、通信中のタイムスロットにおける１又は複数のキャリアにおける受信レベルの大きさを表す情報であって、例えば、受信信号におけるＤ波レベルの大きさ、Ｕ波レベルの大きさ、あるいはＤ波レベルとＵ波レベルの大きさの違い等がこれに該当する。測定結果記憶部３４は、図３に示すように、通信中のタイムスロットを識別する情報に関連付けて、１又は複数のキャリア毎にキャリアセンスによる測定結果（ここではＵ波レベルとする）を記憶する。同図では、音声呼がスロット１に、パケット呼（パケットデータ通信に係る通信呼）がスロット３に割り当てられ、スロット２，４は空きスロットである場合を示している。受信状態測定部３２が、通信中のタイムスロットのうち、音声呼が割り当てられたものについてだけキャリアセンスを行うようにした場合、音声呼に割り当てられたスロット１についてのみ測定結果が記憶される。また、測定結果記憶部３４には、通信中のタイムスロットにおける測定結果に併せて、空きスロットにおける測定結果も併せて記憶してもよい。
【００２５】
制御部２０は、チャネル割当部３６及び測定結果比較部３８を含んで構成される。測定結果比較部３８は、チャネル割当部３６に含まれるように構成してもよい。なお、チャネルは、いずれかのタイムスロットとタイムスロット毎に選択されるいずれかのキャリアにより特定される。
【００２６】
チャネル割当部３６は、測定結果記憶部３４に記憶される測定結果に応じて、各通信呼にチャネルを割り当てる。すなわち、通信中のタイムスロットにおける１又は複数のキャリアの受信状態に応じて、チャネルを割り当てる処理を行う。チャネル割当部３６が、通信呼にいずれかのチャネルを割り当てると、無線基地局装置１２は、無線通信部２４の通信部３０により、当該チャネルを使用して該通信呼に係る端末装置１４と通信を行う。
【００２７】
また、チャネル割当部３６は、測定結果記憶部３４に記憶される測定結果に応じて、新規に接続を要求する通信呼に、該接続要求の時点でのいずれかの空きスロットにおけるいずれかのキャリアにより特定されるチャネルを割り当ててもよいし、通信終了直後の空きスロットにおけるいずれかのキャリアにより特定されるチャネルを割り当ててもよい。例えば、測定結果記憶部３４が図３に示す状態である場合において、スロット１が解放された直後に、新規の通信呼が発生すると、その時点で未使用であるスロット１について各キャリアの測定結果（Ｕ波レベル）を参照し、最も受信状態の良い（Ｕ波レベルの低い）キャリアｋを該新規の通信呼に割り当てるチャネルとして選択することできる。これにより、無線基地局装置１２は、通信終了直後の空きスロットを、当該スロットにおけるキャリアセンスによる測定結果に応じて、新規に接続を要求する通信呼に割り当てることが可能となり、タイムスロットの利用効率を改善することができるようになる。
【００２８】
測定結果比較部３８は、測定結果記憶部３４に記憶される１の通信呼に割り当てられたキャリアの測定結果と、該通信呼に割り当てられたタイムスロットにおける他の１又は複数のキャリアの測定結果と、を比較する。そして、チャネル割当部３６は、測定結果比較部３８による比較結果に応じて、当該１の通信呼に、該通信呼に割り当てられたタイムスロットと該タイムスロットにおける他の１又は複数のいずれかのキャリアにより特定されるチャネルを割り当てるようにしてもよい。例えば、測定結果記憶部３４が図３に示す状態である場合において、通信呼Ｂがスロット１におけるキャリア２により特定されるチャネルを使用して通信を行っているときに、同一のスロット１において現在通信中のチャネルよりも受信状態の良い（Ｕ波レベルの低い）キャリアｋにチャネルを切り替えるようにしてもよい。こうすることにより、無線基地局装置１２において、通信中のタイムスロットにおける１又は複数のキャリアの受信状態に基づいて、同一タイムスロットにおけるより受信状態の良いキャリアにチャネルを切り替えることが可能となり、無線基地局装置１２と端末装置１４との間の通信品質を改善することができるようになる。なお、チャネル切替のタイミングは、現在使用中のチャネルにおける受信状態又は通信品質が所定の閾値を下回ったとき（ビット誤り率が所定の閾値を上回ったとき）であってもよいし、現在使用中のキャリアの受信状態よりも所定量だけ受信状態の良い（Ｕ波レベルの低い）他のキャリアが見つかったとき等であってもよい。
【００２９】
なお、受信状態の良否は、Ｕ波レベルの大小のほか、現在使用中のキャリアにおけるＤ波レベルと比較対象のＵ波レベルの比（Ｄ／Ｕ比）の大小等で比較判断してもよい。
【００３０】
次に、通信終了直後に着呼した通信呼に対するチャネル割当処理を、図５のフローチャートに基づいて説明する。ここでは、空きスロットであるスロット１が直前まで使用中であったものとする。新たな通信呼が着呼すると、スロット１の他に空きスロットが存在するか否かを確認し（Ｓ１００）、
空きスロットがスロット１のみである場合は、測定結果記憶部３４におけるスロット１の測定結果に応じて、スロット１において通信に使用可能な受信状態を持つキャリアが存在するか否かを確認する（Ｓ１０２）。通信に使用可能なキャリアが存在すれば、そのいずれかのキャリアを新たな通信呼に割り当てるキャリアとして選択する（Ｓ１０４）。例えば、スロット１の測定結果において、最もＵ波レベルの低いキャリアを割当キャリアとして選択する。そして、新たな通信呼に、Ｓ１０４にて選択したキャリアにより特定されるチャネルを割り当てる（Ｓ１０６）。Ｓ１０２において、通信に使用可能なキャリアが存在しない場合は、割当可能なチャネルがないとして、当該新たな通信呼に係る端末装置１４に接続拒否を通知する。
【００３１】
Ｓ１００において、スロット１の他にも空きスロットが存在する場合は、スロット１の測定結果及び他の空きスロットの測定結果に応じて、通信に使用可能な受信状態を持つキャリアが存在するか否かを確認する（Ｓ１０８）。スロット１又は他の空きスロットにおいて通信に使用可能なキャリアが存在すれば、そのいずれかのキャリアを新たな通信呼に割り当てるキャリアとして選択する（Ｓ１１０）。その後の処理は上記Ｓ１０６以降の処理と同様である。
【００３２】
次に、通話品質劣化によりチャネル切替を行う処理を、図６のフローチャートに基づいて説明する。ここでは、スロット１が音声呼に割り当てられて通話が行われているものとする。通話中、スロット１において使用中のキャリアの品質が劣化したか否かを定期的に判定する（Ｓ１２０）。判定には、例えば、使用中のキャリアにおけるＤ／Ｕ比、あるいは使用中のチャネルのビット誤り率等を用いる。使用中のキャリアの品質が劣化し所定の通話品質を維持することが困難となった場合、測定結果比較部３８は、測定結果記憶部３４における測定結果に基づいて、通話に使用中のキャリアとスロット１における他のキャリアの測定結果とを比較し、使用中のキャリアよりも受信状態の良いキャリアが存在するか否かを判定する（Ｓ１２２）。使用中のキャリアよりも受信状態の良いキャリアが存在する場合、当該受信状態の良いキャリアを現在通話中の音声呼に割り当てるキャリアとして選択し（Ｓ１２６）。当該音声呼に当該キャリアを割り当てるチャネル切替を行う（Ｓ１２８）。
【００３３】
Ｓ１２２において、使用中のキャリアよりも受信状態の良いキャリアが存在しない場合、測定結果比較部３８は、測定結果記憶部３４における測定結果に基づいて、通話に使用中のキャリアとスロット１以外の他の空きスロットにおけるキャリアの測定結果とを比較し、使用中のキャリアよりも受信状態の良いキャリアが存在するか否かを判定する（Ｓ１２４）。使用中のキャリアよりも受信状態の良いキャリアが存在する場合、当該受信状態の良いキャリアを現在通話中の音声呼に割り当てるキャリアとして選択し（Ｓ１２６）。当該音声呼に当該キャリアを割り当てるチャネル切替を行う（Ｓ１２８）。
【００３４】
このように、通話に使用中のスロット１又は他の空きスロットの中でチャネルの切替を行うことができる場合は、他のタイムスロットのパケットデータ通信を強制的に切断することなく、すなわち、パケット呼に割り当てられた他のタイムスロットを強制的に解放することなく、通話品質を維持することができる。逆に、通話に使用中のスロット１又は他の空きスロットの中でチャネル切替を行うことができない状況下で通話品質を維持するためには、他のタイムスロットのパケットデータ通信を強制的に切断するか、あるいは、ハンドオーバする必要があるが、以上に説明した無線基地局装置１２によればその頻度を減らすことができる。
【００３５】
以上に述べた無線基地局装置によれば、無線リソースを十分に活用することが可能となり、タイムスロットの利用効率及び端末装置との間の通信品質を改善することができる。
【００３６】
なお、本発明は以上説明した実施の形態に限定されるものではない。以上では、測定結果記憶部３４に記憶される情報は、キャリアセンスにより得られたＵ波レベルの大きさである例を示したが、キャリアにおける受信レベルの大きさに基づく情報であれば、例えば、現在使用中のキャリアにおけるＤ波レベルと各キャリアにおけるＵ波レベルの比（Ｄ／Ｕ比）等であってもよい。
【図面の簡単な説明】
【００３７】
【図１】本発明の実施の形態に係る移動体通信システムの構成図である。
【図２】本発明の実施の形態に係る無線基地局装置の機能ブロック図である。
【図３】測定結果記憶部の例を示す図である。
【図４】本発明の実施の形態に係る無線基地局装置におけるタイムスロットの使用状況の一例を示す図である。
【図５】通信終了直後に着呼した通信呼に対するチャネル割当処理を説明するフローチャートである。
【図６】通話品質劣化によりチャネル切替を行う処理を説明するフローチャートである。
【図７】ＰＨＳ基地局装置におけるタイムスロット構成の例を示す図である。
【図８】従来のＰＨＳ基地局装置におけるタイムスロットの割当例を示す図である
【図９】従来のＰＨＳ基地局装置におけるタイムスロット解放直後の割当例を示す図である
【符号の説明】
【００３８】
１０  移動体通信システム、１２  無線基地局装置、１４  端末装置、１６  通信ネットワーク、２０  制御部、２２  記憶部、２４  無線通信部、２６  有線通信部、３０  通信部、３２  受信状態測定部、３４  測定結果記憶部、３６  チャネル割当部、３８  測定結果比較部。
【図１】
2007150801.tif 000003
【図２】
2007150801.tif 000004
【図３】
2007150801.tif 000005
【図４】
2007150801.tif 000006
【図５】
2007150801.tif 000007
【図６】
2007150801.tif 000008
【図７】
2007150801.tif 000009
【図８】
2007150801.tif 000010
【図９】
2007150801.tif 000011